(57)【特許請求の範囲】
【請求項１】
遊技領域に、所定条件の成立を契機として開閉される特定入賞口と、該特定入賞口を開閉する開閉装置と、を備え、前記遊技領域に遊技球を打ち出して遊技するようにした遊技機であって、
前記開閉装置は、前記特定入賞口に配置され、互に接近して該特定入賞口を閉塞する第１位置と互に離反して前記特定入賞口を入賞可能に開放する第２位置とに移動自在に支持された一対の開閉部材を備えてなり、
前記一対の開閉部材は、それぞれ前記特定入賞口から離れる方向に長尺に構成され、前記第１位置にあっては遊技球を前記特定入賞口から離れる方向に案内する遊技球流動溝を形成し、かつ、
前記開閉装置は、前記一対の開閉部材が前記第２位置に移動した際に、前記遊技球流動溝から落下する遊技球を受けて前記特定入賞口側に案内する傾斜案内溝を備えてなる、
ことを特徴とする遊技機。
【発明の詳細な説明】
【技術分野】
【０００１】
本発明は、パチンコ機等の遊技機に関し、詳しくは、所定の契機で開放して遊技球を取り入れて賞球を行う装置構造を有する遊技機に関する。
【背景技術】
【０００２】
一般に、遊技機、例えばフィーバー機と呼ばれる所謂第１種パチンコ機では、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（例えば、特許文献１参照）。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時には、アタッカーと呼ばれる大入賞口が開放し、入球に対応して多量の遊技球が払い出される遊技者に有利な遊技状態となる。
【０００４】
上記のような第１種パチンコ機では、遊技球が遊技盤上の始動入賞口に入賞し、図柄表示部の図柄が大当りを表示すると大入賞口が開放して発射された遊技球を取込みかつ所定数の遊技球を払出すように構成されると共に、大入賞口を開閉するプレートの上辺部に、該大入賞口の閉成時に遊技球を保留し、該大入賞口の開放時に保留した遊技球を大入賞口に落下させる球保留部が形成されて、遊技者の持ち玉が無いか少ない場合に大当りをした際に遊技の継続を保証し得るように構成したものが知られている（例えば、特許文献２参照）。
【０００５】
また、例えば羽根物と呼ばれる所謂第２種パチンコ機では、遊技領域に遊技球を打ち出して行う遊技中に、遊技領域の中央部に配置された特別電動役物の左右に備えた羽根部材が、特別入賞口への入賞に起因して、所定の時間で所定回数（通常は１回か２回）だけ開放し、そして閉止するように構成されたものが知られている（例えば、特許文献３参照）。
【０００６】
このように開閉動作する羽根部材に、後続して流下してくる遊技球がタイミング良く取り込まれると、その遊技球は、特別電動役物内に設けられたＶゾーンか、Ｖゾーン近傍に設けられた外れゾーンの何れかに入球する。その場合、Ｖゾーンに入球した際には大当たりとなり、このとき抽選で選ばれたラウンド数だけ、上記羽根部材の開閉動作が繰り返し行われ、その間に該羽根部材により特別電動役物に取り込まれる遊技球に対応する賞球が行われる。
【０００７】
【特許文献１】特開２００３−２３６２１０号公報
【特許文献２】特開平０９−３１３６８０号公報
【特許文献３】特開２００４−２２２７７３号公報
【発明の開示】
【発明が解決しようとする課題】
【０００８】
ところで、上記特許文献２に記載されるようなパチンコ機では、遊技者は、大当たり発生後の各ラウンド間には大入賞口への入賞は望めないため、発射ハンドルかその近傍に設けられた停止ボタンを押すなどして遊技球の打ち出しを中止して（所謂止め打ち）、遊技球を節約している。従って、その間、遊技店（ホール）側から見ると、稼働は停止していることになり、止め打ち等をできるだけ回避し得るような手法の現出が望まれていた。
【０００９】
また、上記特許文献３に記載されるようなパチンコ機では、大当たり発生時に羽根部材が繰り返し開閉動作するものの、遊技領域を流下する遊技球の流下タイミングによっては羽根部材になかなか取り込まれず、著しい場合には、大当たり中のラウンド継続のための上記Ｖゾーンへの入球ができず、次回のラウンドに繋がらず、所謂パンクを発生してしまい、遊技者の期待感を損ない、充分な遊技性を提供し得ない場合があった。
【００１０】
そこで本発明は、所謂第２種パチンコ機に適用した際には、羽根部材等の開閉部材による遊技球の取り込み状況を良好にして所謂パンク等を生じさせ難い高い遊技性を実現すると共に、所謂第１種パチンコ機に適用した際には、閉塞した大入賞口上に常に遊技球が流動している状態を作り出して、所謂止め打ちすることなく楽しめる高い遊技性を実現し得るように構成し、もって上述した課題を解決した遊技機を提供することを目的とするものである。
【課題を解決するための手段】
【００１１】
請求項１に係る本発明は（例えば図１ないし図１０参照）、遊技領域（１１ａ）に、所定条件（例えば、所謂第２種パチンコ機ではＶゾーン入賞口への入賞による大当たり確定、所謂第１種パチンコ機では大当たり抽選での大当たり確定）の成立を契機として開閉される特定入賞口（所謂第２種パチンコ機では符号１３、所謂第１種パチンコ機では大入賞口である不図示のアタッカー）と、該特定入賞口を開閉する開閉装置（２４又は８８）と、を備え、前記遊技領域に遊技球を打ち出して遊技するようにした遊技機（１）であって、
前記開閉装置（２４又は８８）は、前記特定入賞口（１３）に配置され、互に接近して該特定入賞口（１３）を閉塞する第１位置（図４(a)に示す位置）と互に離反して前記特定入賞口（１３）を入賞可能に開放する第２位置（図４(b)に示す位置）とに移動自在に支持された一対の開閉部材（２４Ａ，２４Ｂ又は８８ａ，８８ｂ）を備えてなり、
前記一対の開閉部材（２４Ａ，２４Ｂ）は、それぞれ前記特定入賞口（１３）から離れる方向に長尺に構成され、前記第１位置（図４(a)に示す位置）にあっては遊技球（Ｂａ）を前記特定入賞口（１３）から離れる方向に案内する遊技球流動溝（２４ａ）を形成し、かつ、
前記開閉装置（２４）は、前記一対の開閉部材（２４Ａ，２４Ｂ）が前記第２位置（図４(b)に示す位置）に移動した際に、前記遊技球流動溝（２４ａ）から落下する遊技球（Ｂａ）を受けて前記特定入賞口（１３）側に案内する傾斜案内溝（２４ｃ）を備えてなる、
ことを特徴とする遊技機（１）にある。
【００１７】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１８】
請求項１に係る本発明によると、開閉装置が、特定入賞口に配置され、互に接近して該特定入賞口を閉塞する第１位置と互に離反して特定入賞口を入賞可能に開放する第２位置とに移動自在に支持された一対の開閉部材を備えるので、遊技機が所謂第２種パチンコ機である場合には、開閉部材による遊技球の取り込み状況を良好にし、所謂パンク等を生じさせ難い遊技性の高い構成を実現できる。また、遊技機が所謂第１種パチンコ機である場合には、閉塞した大入賞口上に遊技球が流動している状態を作り出して、所謂止め打ちすることなく楽しめる高い遊技性を実現することができる。また、一対の開閉部材が、それぞれ特定入賞口から離れる方向に長尺に構成され、第１位置にあっては遊技球を特定入賞口から離れる方向に案内する遊技球流動溝を形成し、かつ、開閉装置が、一対の開閉部材が第２位置に移動した際に、遊技球流動溝から落下する遊技球を受けて特定入賞口側に案内する傾斜案内溝を備えるので、特定入賞口を開放させない遊技状態においては遊技球を特定入賞口から離れる方向に流動させておくと共に、特定入賞口を開放させた際には、遊技球流動溝上から落下する遊技球を傾斜案内溝で受けて特定入賞口側に円滑に取り入れることができる。
【発明を実施するための最良の形態】
【００２４】
＜第１の実施の形態＞
以下、本発明に係る遊技機の実施形態として、遊技場等に設置されるパチンコ機を図面に沿って説明する。なお、後述する各実施の形態では、本発明の遊技機を所謂第２種特別電動役物を使用したパチンコ機として述べるが、本発明はこれに限らず、所謂第１種特別電動役物を使用したパチンコ機にも適用可能であることは勿論である。
【００２５】
ここで、図１、図２及び図７を参照してパチンコ機１の概略を説明する。図１は本発明を適用したパチンコ機１の外部構造を示す正面図、図２は本パチンコ機１の遊技盤及び遊技領域を拡大して示す正面図、図７は本パチンコ機１の遊技球誘導ユニット２０を拡大して示す正面図である。
【００２６】
すなわち、本パチンコ機（遊技機）１は、図１に示すように、発射ハンドル９の操作による球発射装置７２の作動で遊技球（所謂パチンコ玉）を遊技盤１１の遊技領域１１ａに向かって打ち出しつつ遊技を行うもので、打ち出された遊技球が、特定入賞口１３、第１入賞口（特別入賞口）１４、第２入賞口（特別入賞口）１５、一般入賞口１６，１７に、又はアウト口１８に収容される構成をなしている。
【００２７】
図１に示すように、本実施形態におけるパチンコ機１は、開口を有する枠体状の筐体２と、この筐体２に開閉可能に装着された前扉３とを有しており、前扉３の前面には、透明ガラス６を有するガラス枠５が開閉可能に取り付けられている。透明ガラス６の奥側には、遊技盤１１が配設されている。前扉３における遊技盤１１の左右及び上部には演出用照明装置２３が配設されており、前扉３における上部左右には夫々スピーカ（図示せず）を有する放音装置８が配設されている。また、ガラス枠５における右側部には、前扉３を筐体２側に施錠又は解放するための施錠装置４が配設されている。
【００２８】
そして、前扉３における下部中央には皿ユニット６が設けられており、皿ユニット６における右上部には、賞球及び貸球を含む遊技球が供給される球供給口７６が設けられ、皿ユニット６における右上部には、球貸ボタン７ａ及びプリペイドカード返却ボタン７ｂが設けられている。皿ユニット６の中央部には、該皿ユニット６上の遊技球を球発射装置７２（図８参照）付近から皿ユニット下部の球排出口（図示せず）を通して下方に排出するための第１球抜きボタン２１ａと、皿ユニット６上の遊技球を球供給口７６付近から上記球排出口を通して下方に排出するための第２球抜きボタン２１ｂとが配置されている。
【００２９】
また、前扉３における皿ユニット６の右側下方には、上記球発射装置７２を操作して遊技球を遊技盤１１の遊技領域１１ａに向けて打ち出すための発射ハンドル９が設けられ、皿ユニット６の左側下方には灰皿２５が配設されている。なお、図１中の符号１２は、発射ハンドル９の操作で発射された遊技球を遊技領域１１ａに導くガイドレールを示し、符号１８はアウト口を示している。また、本パチンコ機１には、遊技中に遊技領域１１ａにて入賞することなく落下してアウト口１８に入り込んだ遊技球をパチンコ機背面側に導くアウト球通路（図示せず）が設けられている。
【００３０】
一方、遊技領域１１ａ内に配設された入賞口１３，１４，１５，１６，１７は、全て遊技球が入賞した場合に所定数の遊技球を賞球するように機能するが、単に遊技球の賞球のみを行うものと、賞球以外の他の機能を有するものとが存在している。具体的には、遊技領域１１ａの中央左右に設けられた入賞口１６と、遊技領域１１ａの左右下方に設けられた、後述する遊技球誘導ユニット２０に配設された一般入賞口１７とが、前者に示した賞球のみ行う入賞口となる。また、遊技領域１１ａの中央に設けられたセンター飾り２２の上部左右に配設される特定入賞口１３と、遊技領域１１ａの中央下部に縦に整列されて配設される第１入賞口１４及び第２入賞口１５とが、後者に示した賞球以外の他の機能を有する入賞口となる。
【００３１】
図２及び図７に示すように、上記第１入賞口１４及び第２入賞口１５の左右方向には、遊技球誘導ユニット２０が配設されている。この遊技球誘導ユニット２０は、遊技領域１１ａに打ち出されて落下してきた遊技球を誘導する誘導部材４０と、該誘導部材４０を延長させる可動部材４２とにより構成されている。誘導部材４０は、可動部材４２と該可動部材４２を駆動するソレノイド４３を収容した状態で、遊技盤１１の各取付穴５０にネジ留めされて取り付けられている。この可動部材４２は、奥行き方向（図４の紙面奥側）に向かう略々三角柱形状を呈しており、可動部材４２の最下部頂点に設けられた連結点４８を軸として回動（揺動）するように誘導部材４０と枢着されている。
【００３２】
誘導部材４０が遊技盤１１に取り付けられた際には、上方に向けて開口する一般入賞口１７が形成される。この一般入賞口１７は、遊技球の入賞をもって所定数の遊技球を賞球する機能を有している。そして、誘導部材４０の上部には、遊技領域１１ａの中央部に向かって下降するように傾斜する遊技球誘導路４４が形成されているので、遊技領域１１ａに打ち出されて落下してくる遊技球が、誘導部材４０（すなわち、遊技球誘導ユニット２０）の上面側に落下した際には、該誘導路４４上を遊技領域１１ａの中央部に向かって転動することとなる。
【００３３】
可動部材４２は、ソレノイド４３により駆動され、該ソレノイド４３の非駆動時には図７の実線で示した位置（参照番号４２を付与した位置）に配置されており、駆動時には連結点４８を中心として左方向に回転し、先端部５１’で示した位置までその先端が移動する。ソレノイド４３は、誘導部材４０の内部で固定されており、滑動部材４６を矢印Ｄに示す横方向に滑動させる。可動部材４２は、この滑動部材４６に連結点４８よりも上方の位置で連結されている。従って、ソレノイド４３が駆動された際には、滑動部材４６の横方向の滑動に伴い、可動部材４２が連結点４８を中心に矢印Ｗで示す方向に揺動されることとなる。このように可動部材４２が駆動された際には、可動部材４２の先端部５１’が、誘導部材４０、すなわち遊技球誘導ユニット２０の外部に突出されるものとなる。
【００３４】
一方、前述したセンター飾り２２に備えた特定入賞口１３は、特定入賞口１３を開閉しない通常遊技時には開閉装置２４の開閉部材２４Ａ，２４Ｂ（図４参照）によって閉鎖されている。しかし、遊技球が、第１入賞口１４もしくは第２入賞口１５に入賞した際には、開閉部材２４Ａ，２４Ｂが後述する開閉ソレノイド７０によって開閉駆動されることによって、一定時間（例えば、１回の開閉が約０．５秒）だけ開放状態となる。
【００３５】
すなわち、第１入賞口１４及び第２入賞口１５への入賞は、通常の賞球のみならず、センター飾り２２の特定入賞口１３を開放させる条件ともなっている。具体的には、第１入賞口１４に遊技球が入賞した際には、開閉部材２４Ａ，２４Ｂが駆動されることによって、特定入賞口１３が１回だけ開放状態となる。また、第２入賞口１５に遊技球が入賞した際には、第１入賞口１４に入賞したときと同様な特定入賞口１３の開放が２回繰り返される。これにより、第１入賞口１４へ入賞したときよりも第２入賞口１５に入賞したときの方が、特定入賞口１３への遊技球の入賞可能性は高まるものとなっている。
【００３６】
ところで、遊技領域１１ａには、センター飾り２２の左右上方及び左右下方にそれぞれ風車３５が配設されている。また、遊技領域１１ａにおけるセンター飾り２２の周囲には、発射されてからセンター飾り２２に関与せずに落下してくる遊技球を適宜散らし、第１入賞口１４、第２入賞口１５等に対し、入球に導くようにするための複数の障害釘が打ち込まれている。なお、本実施の形態においては、上記風車３５がセンター飾り２２の左右上方及び左右下方に配設されるものとして説明するが、これは１つの例であり、配設する位置や数については遊技領域１１ａ内において特に限定されるものではない。また、障害釘及び各種入賞口にあっても、配設させる位置や数について遊技領域１１ａ内において特に限定されるものではない。
【００３７】
次に、センター飾り２２について、図２及び図６を参照して詳細に説明する。図６は、図２におけるセンター飾り２２の領域Ａを拡大して示す正面図である。
【００３８】
センター飾り２２の上部には、本パチンコ機１の名称やロゴ等を模った装飾部材７４が配設されており、その下方には、センター飾り２２の有する略々台形形状の開口部２７から露出されるように図柄表示装置３１が配設されている。該図柄表示装置３１の左右下部には、特定入賞口１３を開閉する開閉装置２４が配設されている。
【００３９】
また、特定入賞口１３の直下方であってセンター飾り２２の左右外側部には、センター飾り２２を装飾する外枠部材３７（図２）が形成され、更にその少し内側には、図３に示すように、特定入賞口１３の下方からセンター飾り２２の中央部を囲うような装飾性のある波形の壁部材３８が形成されている。この壁部材３８の下方端部、すなわちセンター飾り２２の底部には、センター飾り２２に導入された遊技球を入賞させる遊技球入賞口２８，３０，２８が、それぞれの開口部が水平で同じ高さとなるような横並びの状態に配設されている。
【００４０】
上記遊技球入賞口２８，３０，２８の直上方には、人間を模った立体造形物からなるＶゾーン案内装置２６が設けられている。該Ｖゾーン案内装置２６は、特定入賞口１３から導入された遊技球を遊技球入賞口２８，３０，２８のいずれかへ誘導する誘導路を構成している。ここで、図６に示す矢印Ｌ１，Ｌ２は、該Ｖゾーン案内装置２６により誘導される遊技球の進路（軌跡）の例を示している。
【００４１】
遊技球入賞口２８（以下、一般入賞口２８ともいう）は、遊技領域１１ａに設けられた一般入賞口１６，１７と同様、遊技球の入賞をもって賞球される入賞口である。また、遊技球入賞口３０（以下、Ｖゾーン入賞口３０という）は、いわゆる一般的なＶゾーンと呼ばれる特別な入賞口であり、遊技球の入賞により大当たり抽選実行の契機となり得る入賞が行われ、パチンコ機１を特定の遊技状態に移行させるものとなっている。
【００４２】
上記Ｖゾーン入賞口３０への誘導路をなすＶゾーン案内装置２６は、人間の上半身を模った上部２６ａと、下半身を模った下部２６ｂとから構成されており、上部２６ａはモータ７３（図８参照）によって図６の回動軸Ｘを中心として矢印Ｃに示される向きに回動される。この上部２６ａには、特定入賞口１３からの遊技球を鉛直下方に誘導する誘導路３２が備えられ、下部２６ｂには、その前面中央部に貫通穴３９を有した太鼓形状のドラム３４が備えられている。
【００４３】
そして、上部２６ａが、上記した矢印Ｃの向きに回動した際には誘導路３２も回動することとなり、その回動角度によっては、図６（ａ）に示すように、誘導路３２を通過した遊技球が矢印Ｌ１に沿ってドラム３４の貫通穴３９に導入され、Ｖゾーン入賞口３０へ高確率で入賞する。また、図６（ｂ）に示すように、誘導路３２がドラム３４から外れた角度に回動されている際には、遊技球はドラム３４の貫通穴３９に導入されず、その外側へと落下し、多くの場合は遊技球入賞口２８に入賞することとなる。
【００４４】
ここで、本発明の特徴である開閉装置２４について、図３、図４及び図６を参照して詳細に説明する。
【００４５】
すなわち、開閉装置２４は、所定条件の成立を契機として開閉される特定入賞口１３に配置されている。上記所定条件とは、例えば、本実施形態のような所謂第２種のパチンコ機１にあっては、Ｖゾーン入賞口３０への入賞による大当たり確定の事象、或いは、第１入賞口１４又は第２入賞口１５への入賞という事象であり、所謂第１種パチンコ機にあっては、不図示の始動チャッカーへの入賞に基づいて行われる大当たり抽選での大当たり確定の事象である。また、本発明に係る特定入賞口とは、本実施形態では特定入賞口１３を示すが、所謂第１種パチンコ機にあっては、大入賞口と呼ばれる不図示のアタッカーを示している。
【００４６】
開閉装置２４は、図３及び図４に示すように、傾斜案内溝２４ｃが形成された支持台２４ｄと、支持台２４ｄ上に配置された一対の開閉部材２４Ａ，２４Ｂと、を有している。これら開閉部材２４Ａ，２４Ｂは、互に接近して特定入賞口１３を閉塞する第１位置（図４(a)に示す位置）と、互に離反して特定入賞口１３を入賞可能に開放する第２位置（図４(b)に示す位置）とに移動自在となるように、不図示の支持機構によって支持されている。
【００４７】
開閉装置２４は、センター飾り２２のＶゾーン案内装置２６側に、開閉部材２４Ａ，２４Ｂの一端側をやや挿入し、かつ支持台２４ｄの傾斜案内溝２４ｃの一端側をやや挿入しているが、開閉部材２４Ａ，２４Ｂの一端側の上面には、略々台形形状の開口部２７の下部側に形成された閉止部９０が対向配置されている。このように閉止部９０が配置されることで、開閉部材２４Ａ，２４Ｂが接近した際に形成される遊技球流動溝２４ａから特定入賞口１３内に遊技球Ｂａが進入することの無いように図られ、開閉部材２４Ａ，２４Ｂが離反して第２位置（図４(b)に示す位置）になったときのみ遊技球Ｂａが特定入賞口１３内に進入し得るように構成される。
【００４８】
開閉装置２４では、一対の開閉部材２４Ａ，２４Ｂが、それぞれ特定入賞口１３から離れる方向に長尺に構成され、第１位置（図４(a)に示す位置）にあっては遊技球Ｂａを特定入賞口１３から離れる方向に案内する遊技球流動溝２４ａを形成する。この遊技球流動溝２４ａは、図４（ｂ）に示すように、開閉部材２４Ａ，２４Ｂに線対称の状態で形成された面が図４（ｂ）の右側から左側に向かって徐々に下降するように傾斜して形成されている。従って、開閉部材２４Ａ，２４Ｂが接近して第１位置（図４(a)に示す位置）になったとき形成される遊技球流動溝２４ａは、上述のように、遊技球Ｂａを特定入賞口１３から離れる方向に案内するように傾斜することとなる。
【００４９】
なお、遊技球流動溝２４ａは、本実施形態において図５（ａ）に示すような断面Ｖ字状に構成しているが、これに限らず、図５（ｂ）に示すような断面逆台形状に構成することもできる。
【００５０】
上記傾斜案内溝２４ｃは、開閉部材２４Ａ，２４Ｂが第２位置（図４(b)に示す位置）に移動した際に、遊技球流動溝２４ａから落下する遊技球Ｂａを受けて特定入賞口１３側に案内するように傾斜している。なお、開閉装置２４における傾斜案内溝２４ｃの他端側（特定入賞口１３から離れた側）は、図３に示すように、壁部２４ｅによって閉塞されている。
【００５１】
支持台２４ｄは、センター飾り２２における略々台形形状の開口部２７と波形の壁部材３８の上端部との間に、図の左右方向に略々水平になるように配置され、かつ回動軸９５（図３）を中心として時計回り方向と反時計回り方向とに僅かな角度だけ傾動（回動）し得るように、不図示の機構により支持されている。
【００５２】
一対の開閉部材２４Ａ，２４Ｂは、後述する開閉制御手段９６及び開閉ソレノイド７０によって、成立した上述の所定条件に応じて第１位置（図４(a)に示す位置）と第２位置（図４(b)に示す位置）とに開閉動作させられる。また、遊技球流動溝２４ａの傾斜の角度θ（図３参照）が、特定入賞口１３を開閉しない通常遊技時に比して、特定入賞口１３を開閉する特定遊技時に小さくなるように、後述する開閉制御手段９６及び傾斜ソレノイド９３により、支持台２４ｄを含む開閉部材２４Ａ，２４Ｂが上記回動軸９５を中心として傾動させられる。
【００５３】
次に、本実施形態におけるパチンコ機１の制御系を図８に沿って説明する。同図は本パチンコ機１の全体の制御系を示すブロック図である。すなわち、本制御系は、大きく分けて、遊技制御装置６０と、排出制御装置６１を初めとするその他の周辺装置等とによって構成されている。
【００５４】
遊技制御装置６０は、本パチンコ機１における抽選手段が形成される装置となっており、遊技盤１１の裏面に取り付けられた役物制御ユニット（図示略）により実現されている。図８に示すように、遊技制御装置６０は、パチンコ遊技等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力インターフェース６４と、を有している。遊技用マイクロコンピュータ６２は、開閉制御手段９６を有するＣＰＵ６２ａ、ＲＯＭ６２ｂ、ＲＡＭ６２ｃを内蔵しており、いわゆるアミューズチップ用のＩＣとして製造されている。
【００５５】
この遊技制御装置６０の入出力インターフェース６４には、第１入賞口センサ６５、第２入賞口センサ６６、入賞口センサＡ１〜Ａ３、及びセンター飾り２２における継続センサ６７からの検出信号が入力される。ここで、第１入賞口センサ６５は、第１入賞口１４への入賞を検出するセンサであり、第２入賞口センサ６６は、第２入賞口１５への入賞を検出するセンサであり、更に入賞口センサＡ１〜Ａ３は、一般入賞口１６，１７，２８への入賞をそれぞれ検出するセンサである。また、継続センサ６７は、センター飾り２２に入賞した遊技球のうち、Ｖゾーン入賞口３０にＶ入賞した遊技球を検知する（Ｖ入賞検知信号を検知する）センサである。なお、一般入賞口がＮ個ある場合には、入賞口センサもこれに対応してＮ個配設させることとなる。
【００５６】
一方、入出力インターフェース６４からは、放音装置８を放音駆動して効果音などの出力制御を行う音声出力制御装置６８、演出用照明装置２３や図柄表示装置３１等の制御を行う演出制御装置６９、センター飾り２２の開閉装置２４を開閉制御手段９６の制御に応じて開閉動作させる開閉ソレノイド７０、Ｖゾーン案内装置２６を駆動するモータ７３、球発射装置７２を制御する発射制御装置７１に信号が出力される。
【００５７】
上記開閉制御手段９６は、第１入賞口センサ６５からの第１入賞口１４に対する入賞検出信号に基づいて開閉装置２４の開閉部材２４Ａ，２４Ｂを１回開閉動作させる信号、或いは、第２入賞口センサ６６からの第２入賞口１５に対する入賞検出信号に基づいて開閉部材２４Ａ，２４Ｂを２回開閉動作させる信号を開閉ソレノイド７０に出力する。
【００５８】
また開閉制御手段９６は、入賞口１４，１５への入賞を検知した入賞口センサ６５，６６からの入賞検知信号に基づき特定入賞口１３を開閉する特別遊技時、及び継続センサ６７からのＶ入賞検知信号に基づき大当たりが発生して特定入賞口１３を開閉する特別遊技時に、遊技球流動溝２４ａの傾斜角度θ（図３参照）を、大当たりや入賞口１４，１５への入賞が無く特定入賞口１３を開閉しない通常遊技時に比して小さくするように傾斜ソレノイド９３を作動させ、支持台２４ｄを含む開閉部材２４Ａ，２４Ｂを傾斜制御する。その際、傾斜ソレノイド９３のプランジャ（図示せず）の伸長動作が、不図示の伝達機構を介して支持台２４ｄに伝えられ、該支持台２４ｄを介して開閉装置２４全体が回動軸９５を中心として、傾斜角度θを小さくするように回動する。具体的には、図３における左側の開閉装置２４は時計回り方向に、右側の開閉装置２４は反時計回り方向に、若干の角度だけ回動することとなる。
【００５９】
なお、上記開閉制御手段９６及び開閉ソレノイド７０により、本発明に係る移動制御手段が構成されており、また上記開閉制御手段９６及び傾斜ソレノイド９３により、本発明に係る傾斜制御手段が構成されている。
【００６０】
また、入出力インターフェース６４からは、排出制御装置６１にも賞球制御情報の信号が出力される。なお、賞球制御情報の内容としては、賞球数情報や排出条件等の情報が出力される。排出制御装置６１は、遊技制御装置６０から入力される賞球制御情報に基づいて、排出ユニット（不図示）を駆動して遊技球を排出（供給）する制御を行うものである。すなわち、遊技制御装置６０は、遊技領域１１ａの各入賞口に設けられた第１入賞口センサ６５、第２入賞口センサ６６、入賞口センサＡ１〜Ａ３によって入賞が検出されると、各入賞口の入賞価値に対応して予め設定された賞球数情報を、排出制御装置６１へ送信する。そして、排出制御装置６１では、この賞球数情報を受信して、それに応じた賞球排出（供給）制御を行う。
【００６１】
一方、前述した抽選手段は、Ｖゾーン入賞口３０に対応する継続センサ６７からのＶ入賞検知信号の受信時、大当たり確定に伴う特定入賞口１３を開閉継続させるラウンド数を、ＲＯＭ６２ｂに格納された演出乱数値に基づく抽選で決定する。このラウンド数は、３、７、１５回の３通りがあり、この３と７の各ラウンドの最後に前述したＶ入賞検知信号を受信した場合にはラウンド数が１回加算され、最高１５ラウンドまで大当たり遊技が継続される。そして、上記抽選手段による大当たり抽選の確定に際しては、遊技制御装置６０による演出用照明装置２３や図柄表示装置３１等の各種発光・表示演出が適時になされる。なお、本実施形態においては、大当たり遊技中、特定入賞口１３に遊技球が１０個入賞するか、特定入賞口１３が１５回開閉されると１ラウンドの終了となる。
【００６２】
次に、本パチンコ機１による作用について説明する。
【００６３】
すなわち、本パチンコ機１に対面して着座した遊技者が発射ハンドル９を握り、適宜の角度に回動操作した際には、発射制御装置７１がその回転角に基づいて球発射装置７２を制御し、それにより、該球発射装置７２の作動で遊技球を所定の時間間隔で遊技領域１１ａに向けて連続的に発射させる。すると、遊技領域１１ａに打ち出されて転動落下する多数の遊技球は、一般入賞口１６，１７等に適時入賞し、或いは、これらに関与せずに転動落下して、遊技領域１１ａ最下部のアウト口１８から遊技盤１１背面側に排出される。
【００６４】
遊技球が、第１入賞口１４へと入賞した際には、センター飾り２２に備えた開閉装置２４が、開閉ソレノイド７０によって１回の開閉動作（約０．５秒間）を行う。また、遊技球が第２入賞口１５へと入賞した際には、開閉部材２４が、開閉ソレノイド７０によって２回の開閉動作（約１．０秒間）を行う。このようにして開閉部材２４が開状態となった際に、遊技領域１１ａに打ち出された遊技球の中には、特定入賞口１３からセンター飾り２２内へと導入されるものがある。
【００６５】
センター飾り２２内へ導入された遊技球は、Ｖゾーン案内装置２６等に当接しながら落下し、遊技球入賞口２８もしくはＶゾーン入賞口３０へと向かう。このとき、Ｖゾーン案内装置２６における上部２６ａは、遊技制御装置６４からの指令によりモータ７３が駆動制御されることによって、図６（ａ）の矢印Ｃの向きに所定の速度で周期的に回動（１往復を約１０秒間）している。
【００６６】
この回動中、誘導路３２がドラム３４と直線的に並ぶ位置関係となった際、つまり上部２６ａが略々正面を向く角度となった際に、遊技球が誘導路３２を誘導されて落下すると（図６（ａ）の矢印Ｌ１参照）、ドラム３４の貫通穴３９を介してＶゾーン入賞口３０へと高確率で入賞されることとなる。また、誘導路３２がドラム３４と屈曲した位置関係となった際、つまり上部２６ａが正面以外の横方向を向く角度となった際に、遊技球が誘導路３２を誘導されて落下すると（図６（ｂ）の矢印Ｌ２参照）、ドラム３４の貫通穴３９を通過せず、遊技球入賞口２８へと入賞する確率が高くなる。
【００６７】
また、上記以外に、Ｖゾーン案内装置２６における上部２６ａがいずれの方向を向いている場合にあっても、遊技球が誘導路３２にうまく導入されずに外側の空間を伝って落下した場合には、偶然にＶゾーン入賞口３０へと入賞する場合も起り得るが、その確率は低いものとなる。従って、Ｖゾーン入賞口３０に入賞する期待度は、刻々と変化するＶゾーン案内装置２６における上部２６ａの回動角度や遊技球の落下位置等に左右されるため、遊技者の興趣を誘うものとなっている。
【００６８】
そして、遊技球がＶゾーン入賞口３０へ入賞した際には、大当たりの種別、つまり大当たり遊技において特定入賞口１３を開閉させるラウンド数の決定が、遊技制御装置６４における抽選手段にてなされる。このラウンド数が決定されると、開閉ソレノイド７０の駆動により開閉装置２４が作動され、特定入賞口１３が開閉される大当たり遊技が開始される。ここで、特定入賞口１３が開いた際に、遊技領域１１ａに打ち出された遊技球が該特定入賞口１３からセンター飾り２２内に導入されると、前述した誘導路３２等の経路を経て、遊技球入賞口２８もしくはＶゾーン入賞口３０へと入賞されることとなる。
【００６９】
加えて、例えば、上記大当たり遊技において当初のラウンド数が３回に決定された場合、この３回目の最終ラウンド中にＶゾーン入賞口３０に入賞した場合には、再びラウンド数の決定が抽選手段により行われ、そこで大当たりが終了するか更に大当たりが継続するかが決定される。継続が決定された際には、一連のラウンド数が１５回を超えない範囲でラウンド数が延長設定され（例えば、７回分が増加されて全体で１０回）、その旨を遊技者に報知する演出が遊技制御装置６４の制御によって適時に演出用照明装置２３や図柄表示装置３１等に行われることにより、これらの内容等が遊技者の視覚に訴えるような演出表示として実行されることとなる。
【００７０】
上述したような遊技を遊技者が行うことによって、一般入賞口１６，１７、第１入賞口１４、第２入賞口１５、遊技球入賞口２８、及びＶゾーン入賞口３０へと遊技球が適宜入賞し、それぞれの入賞価値に応じた多量の遊技球が球供給口７６から皿ユニット１３に払い出されることとなる。
【００７１】
ところで、上述した一連の遊技中、遊技領域１１ａに打ち出されてセンター飾り２２に接近する遊技球は、上述の通常遊技時には、開閉部材２４Ａ，２４Ｂで形成される遊技球流動溝２４ａが閉止部９０で遮られることにより、特定入賞口１３からセンター飾り２２内に進入することなく遊技球流動溝２４ａ上を、図３中の矢印ｄ，ｅ，ｆで示されるように流動しつつセンター飾り２２の外方側に落下している。この状態では、開閉制御手段９６の制御で傾斜ソレノイド９３のプランジャ（図示せず）が後退して、遊技球流動溝２４ａの傾斜角度θ（図３参照）が特別遊技時に比して大きくなっており、遊技球Ｂａは、矢印ｄ，ｅ，ｆで示される方向に円滑に流動している。
【００７２】
そして、入賞口センサ６５，６６からの入賞検知信号に基づき特定入賞口１３を開閉する特別遊技時、或いは、大当たりが発生して特定入賞口１３を開閉する特別遊技時には、開閉制御手段９６の制御で傾斜ソレノイド９３のプランジャ（図示せず）が伸長して、遊技球流動溝２４ａの傾斜角度θ（図３参照）が通常遊技時に比して小さくなると共に、開閉部材２４Ａ，２４Ｂが第１位置（図４(a)に示す位置）から第２位置（図４(b)に示す位置）に移行する。これにより、遊技球流動溝２４ａ上を矢印ｄ，ｅ，ｆで示される方向に流動していた遊技球Ｂａが、落下して傾斜案内溝２４ｃに受け入れられ、矢印ｇ，ｈで示される方向に流動して特定入賞口１３からセンター飾り２２内に進入し、Ｖゾーン案内装置２６に案内されて、遊技球入賞口２８もしくはＶゾーン入賞口３０に入賞することとなる。
【００７３】
以上説明したように、本実施の形態では、開閉装置２４が、特定入賞口１３に配置され、互に接近して特定入賞口１３を閉塞する第１位置と互に離反して特定入賞口１３を入賞可能に開放する第２位置とに移動自在に支持された一対の開閉部材２４Ａ，２４Ｂを備えている。これにより、所謂第２種パチンコ機である本パチンコ機１の場合には、開閉部材２４Ａ，２４Ｂによる遊技球Ｂａの取り込み状況を良好にし、所謂パンク等を生じさせ難い遊技性の高い構成を実現することができる。また、所謂第２種パチンコ機であるパチンコ機に適用する場合には、閉塞した大入賞口（図示せず）上に遊技球が流動している状態を作り出して、所謂止め打ちすることなく楽しめる高い遊技性を実現することができる。
【００７４】
また、本実施形態によると、一対の開閉部材２４Ａ，２４Ｂが、それぞれ特定入賞口１３から離れる方向に長尺に構成され、第１位置にあっては遊技球を特定入賞口１３から離れる方向に案内する遊技球流動溝２４ａを形成し、かつ開閉装置２４が、一対の開閉部材２４Ａ，２４Ｂが第２位置に移動した際に、遊技球流動溝２４ａから落下する遊技球を受けて特定入賞口１３側に案内する傾斜案内溝２４ｃを備えている。このため、特定入賞口１３を開放させない遊技状態においては遊技球を特定入賞口１３から離れる方向に流動させておくと共に、特定入賞口１３を開放させた際には、遊技球流動溝２４ａ上から落下する遊技球を傾斜案内溝２４ｃで受けて特定入賞口１３側に円滑に取り入れることができる。
【００７５】
更に、本実施の形態では、成立した所定条件に応じて、一対の開閉部材２４Ａ，２４Ｂを第１位置（図４(a)に示す位置）と第２位置（図４(b)に示す位置）とに移動させて開閉動作させる開閉制御手段９６及び開閉ソレノイド７０を備えることにより、遊技の状態に応じて一対の開閉部材２４Ａ，２４Ｂを適切に開閉動作させて、良好な遊技性を提供することができる。
【００７６】
そして、開閉制御手段９６及び傾斜ソレノイド９３によって一対の開閉部材２４Ａ，２４Ｂを傾斜制御するので、特定入賞口１３を開閉しない通常遊技時には、遊技球流動溝２４ａの傾斜を大きくして遊技球Ｂａを特定入賞口１３から離反する方向に円滑に流動させつつ遊技を進行させることができる。また、特定入賞口１３を開閉する特定遊技時には、遊技球流動溝２４ａの傾斜を小さくして、閉塞したとき遊技球流動溝２４ａ上に遊技球Ｂａが多く停留するようにし、開放したとき比較的多くの遊技球Ｂａを特定入賞口１３側に取り込むように遊技進行させることができる。
【００７７】
＜参考例＞
ついで、第１の実施形態を一部変更した参考例について図９及び図１０を参照して説明する。図９は、本参考例における開閉装置８８及び該開閉装置８８上に配置される遅延部８３，８２，８１を示す斜視図、図１０は、開閉部材８８ａ，８８ｂの開放状態を示す平面図である。
【００７８】
本参考例において、開閉装置８８は、特定入賞口１３に配置され、互に接近して該特定入賞口１３を閉塞する第１位置（図４(a)を参照）と互に離反（矢印ｂ、ａ方向）して特定入賞口１３を入賞可能に開放する第２位置（図４(b)を参照）とに移動自在に支持された一対の開閉部材８８ａ，８８ｂを備えている。開閉装置８８は、一対の開閉部材８８ａ，８８ｂが第２位置に移動した際に、これら開閉部材８８ａ，８８ｂ上から落下する遊技球Ｂａを受けて特定入賞口１３側に案内する傾斜案内溝９１ａを備えている。
【００７９】
また、一対の開閉部材８８ａ，８８ｂの上方には、これら開閉部材８８ａ，８８ｂとともに開閉動作するように、連結柱部材８７ａ，８７ｃ，８７ｂ，８７ｄを介して開閉部材８８ａ，８８ｂに連動連結された一対の遊技球落下遅延部材８３ａ，８３ｂを有する遅延部８３が配置されている。この遅延部８３は、遊技球落下遅延部材８３ａ，８３ｂの接近時（閉塞時）には、全体として漏斗形状を呈し、受け入れた遊技球Ｂａを転動させて落下時間を遅延する環状湾曲面８６Ａと、該環状湾曲面８６Ａの中心部に位置して遊技球Ｂａを落下させる落下孔８６Ｂとを形成する。遊技球落下遅延部材８３ａ，８３ｂの各下部には、漏斗形状の中心の上記落下孔８６Ｂに連通する筒状放出部８３ｃ，８３ｄが形成されている。
【００８０】
更に、遅延部８３の上方には、該遅延部８３への遊技球Ｂａの落下を遅延する遅延部（上方遅延部）８２，８１が、不図示の支持手段で遊技盤１１側に支持固定されて順次配置されている。遅延部８２は、遅延部８３と同様の遊技球落下遅延部材８２ａ，８２ｂを有しており、これらの閉塞時には、全体として漏斗形状を呈し、受け入れた遊技球Ｂａを転動させて落下時間を遅延する環状湾曲面８５Ａと、該環状湾曲面８５Ａの中心部に位置して遊技球Ｂａを落下させる落下孔８５Ｂとを形成する。遊技球落下遅延部材８２ａ，８２ｂの各下部には、漏斗形状の中心の落下孔８５Ｂに連通する筒状放出部８２ｃ，８２ｄが形成されている。
【００８１】
また、遅延部８１は、遅延部８３と同様の遊技球落下遅延部材８１ａ，８１ｂを有しており、これらの閉塞時には、全体として漏斗形状を呈し、受け入れた遊技球Ｂａを転動させて落下時間を遅延する環状湾曲面８４Ａと、該環状湾曲面８４Ａの中心部に位置して遊技球Ｂａを落下させる落下孔８４Ｂとを形成する。遊技球落下遅延部材８１ａ，８１ｂの各下部には、漏斗形状の中心の落下孔８４Ｂに連通する筒状放出部８１ｃ，８１ｄが形成されている。
【００８２】
本参考例の開閉装置８８も、第１の実施形態における開閉装置２４と同様に、成立した所定条件に応じて、一対の開閉部材８８ａ，８８ｂを第１位置と第２位置とに移動させて開閉動作させるように、開閉制御手段９６及び開閉ソレノイド７０（図８参照）にて制御される。
【００８３】
以上の構成を有する本参考例では、一対の開閉部材８８ａ，８８ｂの上方に、該開閉部材８８ａ，８８ｂとともに開閉動作する一対の遊技球落下遅延部材８３ａ，８３ｂを有する遅延部８３を備えている。そして、遅延部８３が、遊技球落下遅延部材８３ａ，８３ｂの閉塞状態にあっては、受け入れた遊技球を転動させて落下時間を遅延する環状湾曲面８６Ａと、該環状湾曲面８６Ａの中心部に位置して遊技球を落下させる落下孔８６Ｂとを形成する。これにより、特定入賞口１３を開放させない通常遊技時には、環状湾曲面８６Ａによって遊技球を転動させて落下時間を遅延させつつ落下孔８６Ｂから落下させる状態を持続させ、閉塞した特定入賞口１３近傍に遊技球が流動している状態を作り出すことができる。また、特定入賞口１３を開閉動作させる特定遊技時には、一対の開閉部材８８ａ，８８ｂの開放動作に伴って一対の遊技球落下遅延部材８３ａ，８３ｂが開放することで、環状湾曲面８６Ａにて転動して落下時間を遅延させられていた比較的多くの遊技球を特定入賞口１３側に取り込むように遊技進行させることができる。
【００８４】
更に、遅延部８３の上方に、該遅延部８３への遊技球の落下時間を遅延する遅延部８２，８１を備えるので、遅延部８３にて落下時間を遅延させられている遊技球Ｂａに加え、その上方において更に多くの遊技球Ｂａを、落下時間を遅延させつつ流動させておくことができ、視覚的な演出を向上させ、興趣の高い遊技性を提供することができる。
【００８５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８６】
【図１】本発明に係るパチンコ機の外部構造を示す正面図である。
【図２】第１の実施形態におけるパチンコ機の遊技盤及び遊技領域を拡大して示す正面図である。
【図３】第１の実施形態におけるセンター飾りの開閉装置を詳細に示す正面図である。
【図４】第１の実施形態における開閉装置を示す斜視図であり、同図（ａ）は第１位置の状態を、同図（ｂ）は第２位置の状態をそれぞれ示している。
【図５】閉塞状態の開閉装置における遊技球流動溝の断面形状を示す断面図であり、同図（ａ）は第１の実施形態における形状を、同図（ｂ）はやや変形した形状をそれぞれ示している。
【図６】図２におけるセンター飾りの中央部分を拡大して示す正面図であり、（ａ）はＶゾーン案内装置で誘導される遊技球の進路の或る状態を示し、（ｂ）はＶゾーン案内装置で誘導される遊技球の進路の別の状態を示している。
【図７】遊技球誘導ユニットを拡大して示す正面図である。
【図８】パチンコ機全体の制御系を示すブロック図である。
【図９】参考例における開閉装置及び遅延部を示す斜視図である。
【図１０】参考例における開閉部材の開放状態を示す平面図である。
【符号の説明】
【００８７】
１：遊技機（パチンコ機）
１１：遊技盤
１１ａ：遊技領域
１３：特定入賞口
２４：開閉装置
２４Ａ，２４Ｂ：開閉部材
２４ａ：遊技球流動溝
２４ｃ：傾斜案内溝
７０，９６：移動制御手段（開閉ソレノイド、開閉制御手段）
９３，９６：傾斜制御手段（傾斜ソレノイド、開閉制御手段）
Ｂａ：遊技球
θ：傾斜の角度
【図１】
0004609853.tif 000002
【図２】
0004609853.tif 000003
【図３】
0004609853.tif 000004
【図４】
0004609853.tif 000005
【図５】
0004609853.tif 000006
【図６】
0004609853.tif 000007
【図７】
0004609853.tif 000008
【図８】
0004609853.tif 000009
【図９】
0004609853.tif 000010
【図１０】
0004609853.tif 000011